(57)【特許請求の範囲】
【請求項１】
ドアの端部に埋設されるボディと、
前記ボディから突出するように付勢されて、前記ドアを閉じた状態に係止するラッチと、
前記ドアに備えたハンドルの回動操作に連動し、前記ラッチを直動させて前記ボディ側に引き込む直動変換機構とを有したドアロックユニットにおいて、
前記直動変換機構は、
前記ラッチと共に直動しかつその直動方向に延びて、前記ラッチから離れた側の端部に、前記ラッチ側を向いた後方壁を有するラッチスライダと、
常には、前記ラッチ側から前記後方壁に対向し、前記ハンドルを回動操作したときには、前記後方壁に向かって回動するカムレバーと、
前記カムレバーと前記後方壁との間に挟まれて、回動した前記カムレバーに押圧され、その押圧力を、前記ラッチスライダが前記ラッチを前記ボディ側に引き込むための力として、前記後方壁に伝えるキーブロックとを備えてなり、
前記ドアに備えたロック操作部の操作により作動し、前記キーブロックを前記カムレバーと前記後方壁との間から外して、前記ハンドルと前記ラッチとの連動を断絶させるロック機構を設けたことを特徴とするドアロックユニット。
【請求項２】
前記カムレバーと前記後方壁とは、水平方向で対向し、
前記キーブロックを、前記カムレバーと前記後方壁との間で、水平方向に直動可能に保持したスライドリンクを設け、
前記ロック操作部の操作により前記スライドリンクと共に前記キーブロックが上下方向に移動して、前記カムレバーと前記後方壁との間から外れるように構成したことを特徴とする請求項１に記載のドアロックユニット。
【請求項３】
前記キーブロックは、前記カムレバーと前記後方壁との対向方向に延びた枠体構造をなし、
前記スライドリンクには、前記キーブロックの内部空間に配置されたピンと、前記キーブロックの一辺に隣接したガイド突壁とが設けられたことを特徴とする請求項２に記載のドアロックユニット。
【請求項４】
前記ボディと、前記直動変換機構と、前記ロック機構とが、合成樹脂で構成されたことを特徴とする請求項１乃至３の何れかに記載のドアロックユニット。
【請求項５】
前記カムレバーを、前記後方壁に対向した初期位置に付勢する付勢手段を備えたことを特徴とする請求項１乃至４の何れかに記載のドアロックユニット。
【発明の詳細な説明】
【０００１】
【発明の属する技術分野】
本発明は、ドアに埋設して用いられるドアロックユニットに関し、特に、屋内に備えたドアに用いられるドアロックユニットに関する。
【０００２】
【従来の技術】
図１２及び図１３には、従来のドアロックユニットの一例として、特開平９−１６５９５８号公報に掲載されたものが示されている。このドアロックユニットは、ラッチ１と軸体２とを一体化してなるラッチボルト３を、ボディ４に対して直動可能に備え、そのラッチボルト３の端部に、カムアーム５を連結した構造をなす。そして、常には、ラッチ１がボディ４から突出してドアの係止が図られ、図示しないハンドルを回動操作することで、カムアーム５が回動して、ラッチ１がボディ４内に引き込まれ、ドアの係止が解除される。
【０００３】
また、ラッチボルト３の上方には、ロックアーム６が回動可能に設けられており、図示しないロック操作部を操作することで、ロックアーム６がラッチボルト３の後端部に係止して（図１３参照）、ラッチボルト３が直動不能にロックされる。
【０００４】
【発明が解決しようとする課題】
ところで、一般に、ドアがロックされた状態で、ハンドルが回動操作される場合が多々ある。
しかしながら、上記した従来のドアロックユニットでは、ロック状態で、ハンドルが操作されると、その操作力が、カムアーム５、ラッチボルト３、ロックアーム６及びボディ４等の各部位に大きな負荷としてかかり、これが頻繁に繰り返されて、各部位が経年的に変形する心配があった。
また、レバー型のハンドルを備えたドアロックユニットでは、ロック状態で水平方向を向いたレバーに、荷物や子供がぶら下がり、ドアロックユニットの各部位が過大な負荷を受けて変形する虞があった。
これに対して、強度が高い金属材料を用いて、各部位を構成した場合には、材料費のアップにより、製造コストがかかるという問題が生じてしまう。
【０００５】
本発明は、上記事情に鑑みてなされたもので、耐久性に優れ、かつ、低コストで製造することが可能なドアロックユニットの提供を目的とする。
【０００６】
【課題を解決するための手段】
上記目的を達成するため請求項１の発明に係るドアロックユニットは、ドアの端部に埋設されるボディと、ボディから突出するように付勢されて、ドアを閉じた状態に係止するラッチと、ドアに備えたハンドルの回動操作に連動し、ラッチを直動させてボディ側に引き込む直動変換機構とを有したドアロックユニットにおいて、直動変換機構は、ラッチと共に直動しかつその直動方向に延びて、ラッチから離れた側の端部に、ラッチ側を向いた後方壁を有するラッチスライダと、常には、ラッチ側から後方壁に対向し、ハンドルを回動操作したときには、後方壁に向かって回動するカムレバーと、カムレバーと後方壁との間に挟まれて、回動したカムレバーに押圧され、その押圧力を、ラッチスライダがラッチをボディ側に引き込むための力として、後方壁に伝えるキーブロックとを備えてなり、ドアに備えたロック操作部の操作により作動し、キーブロックをカムレバーと後方壁との間から外して、ハンドルとラッチとの連動を断絶させるロック機構を設けたところに特徴を有する。
【０００７】
請求項２の発明は、請求項１に記載のドアロックユニットにおいて、カムレバーと後方壁とは、水平方向で対向し、キーブロックを、カムレバーと後方壁との間で、水平方向に直動可能に保持したスライドリンクを設け、ロック操作部の操作によりスライドリンクと共にキーブロックが上下方向に移動して、カムレバーと後方壁との間から外れるように構成したところに特徴を有する。
請求項３の発明は、請求項２に記載のドアロックユニットにおいて、キーブロックは、カムレバーと後方壁との対向方向に延びた枠体構造をなし、スライドリンクには、キーブロックの内部空間に配置されたピンと、キーブロックの一辺に隣接したガイド突壁とが設けられたところに特徴を有する。
【０００８】
請求項４の発明は、請求項１乃至３の何れかに記載のドアロックユニットにおいて、ボディと、直動変換機構と、ロック機構とが、合成樹脂で構成されたところに特徴を有する。
【０００９】
請求項５の発明は、請求項１乃至４の何れかに記載のドアロックユニットにおいて、カムレバーを、後方壁に対向した初期位置に付勢する付勢手段を備えたところに特徴を有する。
【００１０】
【発明の作用及び効果】
＜請求項１，２，３の発明＞
請求項１のドアロックユニットによれば、ハンドルを回動操作すると、ラッチスライダがキーブロックを介してカムレバーに押されることで、ラッチがボディ側に引き込まれ、ドアの係止が解除される。そして、ロック操作部が操作されると、キーブロックがカムレバーと後方壁との間から外れて、ハンドルとラッチとの連動が断絶される。これにより、ハンドルを回動操作してもドアの係止が解除されなくなり、ドアがロックされる。即ち、本発明のドアロックユニットでは、ロック状態になると、ハンドルが空転するから、従来のように、ハンドルの操作力が、ドアロックユニットを構成する各部位に大きな負荷としてかかることが防がれ、耐久性の向上が図られる。従って、本発明によれば、従来より強度が低い材料を用いて、低コストでドアロックユニットを製造することができる。
【００１１】
具体的には、請求項２のドアロックユニットのように、カムレバーと後方壁とは、水平方向で対向し、キーブロックを、カムレバーと後方壁との間で、水平方向に直動可能に保持したスライドリンクを設け、ロック操作部の操作によりスライドリンクと共にキーブロックが上下方向に移動して、カムレバーと後方壁との間から外れるように構成することができる。また、請求項３のドアロックユニットのように、キーブロックは、カムレバーと後方壁との対向方向に延びた枠体構造をなし、スライドリンクには、キーブロックの内部空間に配置されたピンと、キーブロックの一辺に隣接したガイド突壁とが設けられた構成にしてもよい。
【００１２】
＜請求項４の発明＞
請求項４のドアロックユニットは、ボディと直動変換機構とロック機構とが、合成樹脂で構成されているから、金属材料でこれらを構成したものに比べて、安価に量産することができると共に、軽量化が図られる。
【００１３】
＜請求項５の発明＞
請求項５の構成によれば、ロック状態で、カムレバーが空転しても、付勢手段により、カムレバーが自動的に後方壁に対向した初期位置に戻されるから、ロック状態を解除するときに、逐一、カムレバーを初期位置に戻す操作を要せず、ロック操作部によるロック解除操作だけで、カムレバーと後方壁との間に、キーブロックを戻すことができる。
【００１４】
【発明の実施の形態】
＜第１実施形態＞
以下、本発明の第１実施形態を図１〜図８に基づいて説明する。
本実施形態のドアロックユニットは、図１に示すように、ボディ１０に種々の部品を組み付けてなる。
【００１５】
ボディ１０は、横方向に扁平な箱形をなすと共に、横方向を向いた一側面が開放し、その開放口を閉塞する図示しないボディカバーを備える。前記ボディカバーは、ボディ１０の開放口に整合した平板体の縁部から複数の係止アームを、ボディ１０に向けて突出した構造をなし、これら係止アームが、ボディ１０の外面に備えた係止突部１１に係止して、ボディ１０とボディカバーとが一体化されている。そして、このドアロックユニットは、例えば屋内の部屋の出入口に設けたドア９０（図３参照）の端部に埋設されている。
【００１６】
ドア９０の端面には、図３に示すように、凹所９１が形成されており、ドアロックユニットは、後端側（図３の右側）から凹所９１内に組み込まれる。また、ボディ１０の前端壁１２は、ボディ１０の上下に張り出しており、その前端壁１２の外面には、全体に亘ってベースプレート８０が敷設されている。そして、図３に示すように、これら前端壁１２及びベースプレート８０の上下の両端部が、凹所９１の開口縁に押し当てられ、それら両端部に設けた取付孔１５に、ボルト（図示せず）を通してドア９０に締め付けてある。これにより、ドアロックユニットがドア９０に固定され、ベースプレート８０がドア９０の端面とほぼ面一状態になっている。
【００１７】
前端壁１２及びベースプレート８０の上下方向の中央部には、ラッチ孔１６が貫通形成されており、通常は、そのラッチ孔１６からラッチ１７が外方に突出している。ラッチ１７には、図２に示すように、ドア９０の回動方向（ボディ１０の横方向）の一方側を向いた平坦な係止面１７Ｋと、他方側を向いて、ラッチ１７が先細りになるように丸みを帯びた曲面１７Ｓとが備えられている。また、ラッチ１７は、ベースプレート８０を外した状態では、前端壁１２のラッチ孔１６内で回転して、係止面１７Ｋと曲面１７Ｓの向きを反転させることができる。一方、ベースプレート８０を取り付けた状態では、そのベースプレート８０のラッチ孔１６に設けた平坦な側縁部が、ラッチ１７の係止面１７Ｋに平行に隣接し、係止面１７Ｋの向きが変わらないように規制されて、ラッチ１７の直動のみが許容される。これにより、本実施形態のドアロックユニットは、何れの向きに回動するドアにでも対応することができる。
【００１８】
ラッチ１７の後端部には、連結子１８が設けられている。連結子１８は、ラッチ１７から起立した円柱体の先端に鍔部を備えてなる。そして、この連結子１８に、ラッチスライダ２０の一端が結合されている。
【００１９】
ラッチスライダ２０は、図２に示すように、ラッチ１７の直動方向に延びた帯板部２１の両端から、前方壁２２と後方壁２３とを対向状態に直立させた構造をなす。前方壁２２には、側方に開放した連結溝２２Ｓが備えられ、ここに、連結子１８が側方から押し込まれ、これにより、ラッチ１７がラッチスライダ２０に対して、回転可能に保持されている。一方、後方壁２３は、ボディ１０の後端壁１３寄りに位置し、その後方壁２３とボディ１０の後端壁１３との間には、退避領域１３Ｓが設けられている。なお、ボディ１０の後端壁１３は、退避領域１３Ｓに対応した部分が、外側に膨出した構造になっている。
【００２０】
ボディ１０には、図３に示すように、ラッチスライダ２０の帯板部２１のうち後端部分を両側から挟むように、案内壁２５群が起立しており、これら案内壁２５群に沿って、ラッチスライダ２０が直動する。また、ラッチスライダ２０は、その後方壁２３が、図３における下側の案内壁２５Ａの後端に当接して、直動ストロークの初期位置に位置決めされる一方、図６に示すように、後方壁２３が、ボディ１０の後端壁１３に当接して、直動ストロークの終端位置に位置決めされるようになっている。
【００２１】
ボディ１０のうち案内壁２５群と前端壁１２との間には、スプリングガイド２６が組み付けられている。スプリングガイド２６は、図３に示すように、天井壁２７の両端から１対の脚壁２８，２８を延ばした門形状をなす。そして、脚壁２８，２８の先端を、前記ラッチ孔１６に縁部寄りに突入させて、それら脚壁２８，２８の先端部に形成した段差部を、ラッチ孔１６の縁部に突き当て、さらに、天井壁２７に、前記案内壁２５群の前端部を突き当てることで、脚壁２８，２８を突っ張り状態にして、スプリングガイド２６がボディ１０に固定されている。そして、スプリングガイド２６の天井壁２７が、ラッチスライダ２０の前方壁２２に対向し、それら天井壁２７と前方壁２２との間に、圧縮コイルバネ２９が組み付けられている。これにより、ラッチスライダ２０が、常には、初期位置に付勢されて、ラッチ１７が、ボディ１０から外方に突出した状態になっている。また、スプリングガイド２６の天井壁２７は、ラッチスライダ２０の長手方向の中間部分を横切ることで、ラッチスライダ２０の浮き上がりを規制する役割も果たす。
【００２２】
ボディ１０のうち後側下部には、回動ブロック３０が組み付けられている。回動ブロック３０は、図１に示すように、円柱状の軸部３１から側方に板部３２を張り出してなる。軸部３１は、中心に角孔３３を貫通形成して備えると共に、ボディ１０と前記ボディカバーとの間に差し渡されて、回動可能に保持されている。そして、ドア９０に形成した軸孔（図示せず）を介して、角孔３３が、ドア９０の表裏の両外方に臨み、その角孔３３に挿通した角柱軸８１の両端部に、それぞれハンドル８２（図１には、１つのハンドル８２のみ示す）が組み付けられている。
【００２３】
なお、本実施形態のハンドル８２は、角柱軸８１が嵌合される軸体８３の端部から側方に把持部８４を延ばしたレバー型となっており、軸体８３に周面から芯部に向かってねじ込んだセットねじ（図示せず）にて、角柱軸８１に固定されている。
【００２４】
回動ブロック３０の板部３２には、ラッチスライダ２０の移動経路に向けて張り出したカムレバー３７が備えられると共に、そのカムレバー３７と反対側の外縁部からは、前記軸部３１と並行してストッパ３４が延設されている。そして、図４に示すように、ストッパ３４が、ボディ１０の後端壁１３から延設した初期当接壁３５に当接することで、回動ブロック３０が、回動ストロークの初期位置に位置決めされる。この初期位置では、カムレバー３７は、ラッチスライダ２０の後方壁２３との間に、キーブロック４１又は空転領域３７Ｓ（図７参照）を挟んで対向した状態になり、ハンドル８２は、水平方向を向く。
【００２５】
また、回動ブロック３０が、図４における時計回り方向に回動されると、前記ストッパ３４が、図６に示すように、ボディ１０の下端部に形成した終端当接壁３６に当接して、回動ストロークの終端位置に位置決めされる。この終端位置では、カムレバー３７は、後方壁２３に接近する側に倒れ、ハンドル８２は、斜め下方を向く。
【００２６】
軸部３１には、捻りコイルバネ構造のトーションスプリング４０が嵌合されており、その一端が板部３２の一部に係止され、他端がボディ１０の壁部に係止している。そして、このトーションスプリング４０により、回動ブロック３０が前記初期位置に向けて付勢されている。
【００２７】
カムレバー３７とラッチスライダ２０の後方壁２３との間には、図３に示すように、通常は、キーブロック４１が配置されている。キーブロック４１は、カムレバー３７と後方壁２３との対向方向に延びた概矩形の枠体構造をなす。なお、キーブロック４１の１角部は、後述するキーピース５０との干渉を避けるために（図７参照）、丸められている。
【００２８】
キーブロック４１は、スライドリンク４２によって、水平方向に直動可能に保持されている。詳細には、スライドリンク４２は、図３に示すように、上下方向に帯板状に延びて、その下端部と中間部とに、下端ピン４３とガイド突壁４４とを対向状態に起立して備える。また、図２に示すように、キーブロック４１のうちラッチスライダ２０の帯板部２１との対向面においては、キーブロック４１の上辺部分を切除してラッチスライダ２０との間に移動領域４１Ｓが形成されている。そして、スライドリンク４２を、ラッチスライダ２０上に重ねて前記移動領域４１Ｓに通し、下端ピン４３をキーブロック４１の内側空間に配置すると共に、ガイド突壁４４をキーブロック４１の上辺部分に平行に隣接させてある。これにより、上述の如く、キーブロック４１が、スライドリンク４２により、水平方向に直動可能に保持されている。従って、キーブロック４１は、図４〜図６に示すように、ラッチスライダ２０に重ねて載置された状態では、ラッチスライダ２０と共に直動することができる。なお、このとき、前記案内壁２５は、ラッチスライダ２０と共にキーブロック４１も直動方向に案内する。
【００２９】
キーブロック４１は、スライドリンク４２と共に上下方向に移動可能となっている。詳細には、図４に示すように、回動ブロック３０及びラッチスライダ２０が共に初期位置に配された状態において、これらカムレバー３７とラッチスライダ２０の後方壁２３との間に挟まれた領域（図７の符合３７Ｓ参照）の上方部分では、案内壁２５が切除され、キーブロック４１の移動領域４１Ｓが確保されている。これにより、図７に示すように、キーブロック４１が、カムレバー３７とラッチスライダ２０の後方壁２３との間から上方に移動することができる。また、図４に示すように、前記移動領域４１Ｓの両側には、キーブロック４１を上下方向に案内するための案内壁４６，４６がボディ１０に一体形成されると共に、移動領域４１Ｓにおいては、ラッチスライダ２０におけるキーブロック４１の載置面と、ボディ１０の内面とが面一になっている。さらに、ボディ１０には、スライドリンク４２を上下方向に案内する案内壁４７も形成されている。
【００３０】
図３に示すように、スライドリンク４２の上端部からは上端ピン４５が起立しており、ここに、キーピース５０が連結している。キーピース５０は、円柱状の軸部５１に直交した回動アーム５２を備えてなる。そして、回動アーム５２のうち軸部５１からスライドリンク４２側に延びた部分の端部には、長孔５４が形成されており、ここに前記上端ピン４５が収まっている。また、前記軸部５１は、中心に角孔５３を貫通形成して備え、ボディ１０と前記ボディカバー（図示せず）との間に差し渡されて、回動可能に保持されている。さらに、角孔５３は、ドア９０の表裏の一方の面に形成した孔（図示せず）から外側に臨んでおり、その角孔５３に、図１に示したロック摘８５の軸８６が嵌合されている。そして、前記ロック摘８５を操作して、キーピース５０を反時計回りに回動させると、スライドリンク４２と共にキーブロック４１が上方に引き上げられる。
【００３１】
回動アーム５２のうち軸部５１からスライドリンク４２と反対側に延びた部分の端部には、丸孔が形成されており、ここには、捻りコイルバネ構造をなしたリターンスプリング５６の一端が取り付けられている。リターンスプリング５６の他端は、ボディ１０のうちキーピース５０の回動中心に対して、水平方向で横並びの位置に形成した丸孔に係止されている。これにより、回動アーム５２が水平方向を向いたときに、リターンスプリング５６の両端部が最も接近して弾発力が発揮されるトグル機構が構成され、回動アーム５２が、水平方向に対して、何れかの斜め方向を向くように付勢される。
【００３２】
キーピース５０は、ボディ１０の上部に設けたキーピース規制部４８にて、回動範囲が規制されている。具体的には、図４に示すように、回動アーム５２が、水平方向に対して、一方側に傾くと、回動アーム５２のうちリターンスプリング５６側の端部が、キーピース規制部４８に当接して、非ロック状態になる。この非ロック状態では、キーピース５０により、スライドリンク４２及びキーブロック４１が、それらの上下ストロークの下端位置に位置決めされ、キーブロック４１が、カムレバー３７とラッチスライダ２０の後方壁２３との間に挟まれる。
【００３３】
これに対し、図７に示すように、回動アーム５２が、水平方向に対して、他方側に傾くと、回動アーム５２のうちスライドリンク４２側の端部が、キーピース規制部４８に当接して、ロック状態になる。このロック状態では、キーピース５０により、スライドリンク４２及びキーブロック４１が、それらの上下ストロークの上端位置に位置決めされ、キーブロック４１が、カムレバー３７とラッチスライダ２０の後方壁２３との間から外される。
【００３４】
なお、本実施形態では、キーピース５０の回動範囲が約４５度に設定されており、これにより、ロック操作部としてのロック摘８５の回動範囲も４５度になっているが、キーピース５０の回動範囲を拡げることで、一般的なドアロックユニットにおけるロック操作部のように、ロック状態と非ロック状態との間の回動範囲を９０度に設定してもよい。
【００３５】
ドアロックユニットの各部品の構造は、上記の通りであり、本実施形態では、これら部品の大部分は、合成樹脂で構成されている。これにより、部品の大部分を金属で構成した場合に比べて強度は落ちるものの、本実施形態のドアロックユニットは室内用であるから、防犯面にあまり気を遣う必要がなく、低コスト化及び軽量化が図られる。具体的には、ラッチスライダ２０と回動ブロック３０とキーブロック４１とで構成された本発明に係る直動変換機構と、キーピース５０とスライドリンク４２とで構成された本発明に係るロック機構と、さらには、ボディ１０、ハンドル８２及びロック摘８５が、それぞれ合成樹脂（例えば、ポリアセタール）で構成されている。一方、バネ類（符合２９，４０，５６）、角柱軸８１は、金属で構成されている。
【００３６】
次に、上記構成からなる本実施形態のドアロックユニットの動作を説明する。
非ロック状態では、以下のようにして、ドア９０の開閉が行われる。
まず、開いたドア９０を閉めるには、ドア９０を部屋の出入口に向けて回動すればよい。すると、ボディ１０から外側に突出したラッチ１７のうち曲面１７Ｓが出入口の縁部に当接し、さらに回動させると、曲面１７Ｓが出入口の縁部に摺接して、ラッチ１７がボディ１０内に向けて押し込まれる。このとき、ラッチ１７とスプリングガイド２６との間で、圧縮コイルバネ２９が圧縮され、ドア９０が、出入口を閉塞する正規位置に至ったときに、圧縮コイルバネ２９の弾発力でもって、ラッチ１７が、出入口の縁部に設けたロック孔（図示せず）に突入する。そして、ラッチ１７の係止面１７Ｋが、ロック孔の内面に、ドア９０の開放方向で面当接し、ドア９０が閉じた状態に係止される。
【００３７】
閉じたドア９０を開くには、図４に示すように、水平方向を向いたハンドル８２を、下方に押し下げるように回動操作する。すると、図５に示すように、カムレバー３７が、ラッチスライダ２０の後方壁２３側に傾動する。ここで、カムレバー３７と、ラッチスライダ２０の後方壁２３との間には、キーブロック４１が配置されているから、傾動したカムレバー３７によって、そのキーブロック４１が押される。すると、キーブロック４１が、スライドリンク４２のガイド突壁４４等に沿って、ラッチスライダ２０の後方壁２３側に移動するから、カムレバー３７の押圧力が、キーブロック４１を介してラッチスライダ２０の後方壁２３にかかる。これにより、ラッチスライダ２０が、ボディ１０の後端壁１３側に直動して、ラッチスライダ２０に結合されたラッチ１７が、ボディ１０内に引き込まれる。そして、図６に示すように、回動ブロック３０のストッパ３４が、終端当接壁３６に当接して、ハンドル８２をそれ以上回動することができなったところで、ラッチ１７の先端がボディ１０内に没入し、前記出入口の縁部に設けたロック孔との係止が解除されて、ドア９０を開くことができる。このとき、回動ブロック３０に係止したトーションスプリング４０と、ラッチ１７とスプリングガイド２６との間に設けた圧縮コイルバネ２９とに、弾発力が蓄えられ、ハンドル８２から手を離すと、その弾発力でもって、ラッチ１７、ハンドル８２及びこれらに連結した各部位が元の位置に戻される。
【００３８】
さて、ドア９０をロックするには、図７に示すように、ロック摘８５を反時計回りに回動操作する。すると、これに応じてキーピース５０が回動し、スライドリンク４２と共に、キーブロック４１が、上方に引き上げられて、カムレバー３７とラッチスライダ２０と後方壁２３との間から外される。これにより、カムレバー３７とラッチスライダ２０と後方壁２３との間に、空転領域３７Ｓが確保され、この状態で、ハンドル８２を回動操作しても、カムレバー３７が空転領域３７Ｓで空転し、ラッチスライダ２０は直動しない。つまり、ロック摘８５を操作することで、カムレバー３７とラッチスライダ２０との間が非連結状態になり、ハンドル８２とラッチ１７との連動が断絶される。従って、ハンドル８２の回動操作により、ラッチ１７をボディ１０内に没入させることができなくなり、ドア９０がロック状態になる。なお、ドア９０を閉めてから、ロック摘８５を操作してロック状態にしてもよいし、ロック摘８５の操作によりロック状態にしてから、ドア９０を閉めてもよい。
【００３９】
また、ロック状態になると、ハンドル８２を回動操作しても、圧縮コイルバネ２９が圧縮されず、非ロック状態に比べて、ハンドル８２を軽く回動させることができるから、これにより、ロック状態であることに気づくことができる。
【００４０】
さらに、本実施形態では、空転したハンドル８２から手を離すと、トーションスプリング４０の弾発力によって、ハンドル８２と共にカムレバー３７が自動的に初期位置に戻されて後方壁２３と対向した状態になる。これにより、ロック状態を解除するときには、逐一、カムレバー３７を初期位置に戻す操作を要せず、ロック摘８５によるロック解除操作だけで、キーブロック４１を、カムレバー３７と後方壁２３との間に戻すことができる。即ち、ロック解除操作を容易に行うことができる。
【００４１】
このように本実施形態のドアロックユニットによれば、ロック状態で、ハンドル８２が空転するから、従来のように、ハンドルの操作力が、ドアロックユニットを構成する各部位に大きな負荷として加わることが防がれ、耐久性の向上が図られる。これにより、ドアロックユニットのボディ１０と、直動変換機構（ラッチスライダ２０、回動ブロック３０、キーブロック４１）と、ロック機構（キーピース５０、スライドリンク４２）とを合成樹脂で構成することが可能になり、これらを金属で構成した場合に比べて、安価に量産することができると共に、軽量化を図ることができる。
【００４２】
＜第２実施形態＞
本実施形態は、図９〜図１１に示されており、前記第１実施形態に対し、ラッチスライダ２０に備えた後方壁と、回動ブロック３０に備えたストッパの構造のみが異なる。以下、第１実施形態と異なる構成に関してのみ説明し、同一の構成に関しては、同一符合を付して重複説明は省略する。
【００４３】
図９に示すように、本実施形態のドアロックユニットにおけるラッチスライダ２０の後方壁２３Ｃは、回動ブロック３０に備えたカムレバー３７の回動領域と干渉しないように、第１実施形態の後方壁２３より低くなっている。また、回動ブロック３０に備えたストッパ３４Ｃは、回動ブロック３０が初期位置（図１０参照）から９０度回動した位置（図１１参照）で、終端当接壁３６と当接するように設定されている。
【００４４】
上記のように構成したことで、本実施形態のドアロックユニットでは、ロック状態と非ロック状態とで、ハンドル８２の回動ストロークが異なる。即ち、非ロック状態では、ハンドル８２を回動したときに、カムレバー３７が、キーブロック４１を介して、ラッチスライダ２０の後方壁２３を押圧し、その後方壁２３がボディ１０の後端壁１３に当接する（図６参照）。これにより、ハンドル８２は、水平方向を向いた初期状態（図１０参照）から、約４０度回動したところで回動不能になる（図６参照）。
【００４５】
これに対し、ロック状態では、キーブロック４１が外されて、カムレバー３７が空転し、回動ブロック３０が初期位置から９０度回動したところで、ストッパ３４が終端当接壁３６に当接する。即ち、ハンドル８２は、水平方向を向いた初期状態（図１０参照）から、９０度回動したところで回動不能になる（図１１参照）。
【００４６】
このように、本実施形態によれば、ロック状態と非ロック状態とで、ハンドル８２の回動ストロークが異なるから、ロック状態か非ロック状態かを明確に判別することができる。しかも、非ロック状態では、ハンドル８２が完全に下方を向いて、大きな回動操作力がかかることが防がれ、ストッパ３４の変形を防止することができる。
【００４７】
＜他の実施形態＞
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
（１）前記第１実施形態のドアロックユニットでは、ロック操作部としてのロック摘８５を回動操作して、ロック状態にする構成であったが、ロック操作部をスライド操作して、ロック状態にする構成としてもよい。具体的には、前記第１実施形態におけるキーピース５０を廃止し、スライドリンク４２から延設したロック操作部をドア９０の外面に突出させた構成とし、このロック操作部のスライド操作により、キーブロック４１を上方に移動して、ロック状態に切り替える構成にしてもよい。
【００４８】
（２）前記第１実施形態のスライドリンク４２は、ガイド突壁４４と下端ピン４３との間で、キーブロック４１の上辺部分を挟んで、キーブロック４１の傾動を規制していたが、例えば、下端ピン４３を角柱形状にして、その下端ピン４３のみで、キーブロック４１の傾動を規制してもよい。
【００４９】
（３）前記第１実施形態で、直動可能なキーブロック４１を、その直動方向の側方にずらして、ロック状態にする構成であったが、回動可能な部品（例えば、カムレバー３７を）を、回動軸に沿ってずらすことで、ロック状態にする構成としてもよい。
【００５０】
（４）前記実施形態のドアロックユニットは、大部分の部品が合成樹脂で構成されていたが、全ての部品を金属で構成してもよい。
【００５１】
（５）また、ドアロックユニットは、屋内のドアのみならず、屋外のドアに取り付けて用いてもよい。
【図面の簡単な説明】
【図１】本発明の第１実施形態に係るドアロックユニットの斜視図
【図２】ドアロックユニットの部分破断斜視図
【図３】ドアロックユニットの側断面図
【図４】ドアロックユニットの側面図
【図５】非ロック状態で、ハンドルを操作したときのドアロックユニットの側面図
【図６】ドアロックユニットの係止を解除した状態の側面図
【図７】ロック状態にしたときのドアロックユニットの側面図
【図８】ロック状態で、ハンドルを操作したときのドアロックユニットの側面図
【図９】第２実施形態のドアロックユニットの部分破断斜視図
【図１０】ロック状態にしたときのドアロックユニットの側面図
【図１１】ロック状態で、ハンドルを操作したときのドアロックユニットの側面図
【図１２】従来のドアロックユニットの側面図
【図１３】従来のドアロックユニットをロック状態にしたときの側面図
【符号の説明】
１０…ボディ
１７…ラッチ
２０…ラッチスライダ（直動変換手段）
２３，２３Ｃ…後方壁
２９…圧縮コイルバネ
３０…回動ブロック（直動変換機構）
３７…カムレバー（直動変換機構）
４０…トーションスプリング（付勢手段）
４１…キーブロック（直動変換機構）
４２…スライドリンク（ロック機構）
５０…キーピース（ロック機構）
８２…ハンドル
８５…ロック摘（ロック操作部）
【図１】
0003636115.tif 000002
【図２】
0003636115.tif 000003
【図３】
0003636115.tif 000004
【図４】
0003636115.tif 000005
【図５】
0003636115.tif 000006
【図６】
0003636115.tif 000007
【図７】
0003636115.tif 000008
【図８】
0003636115.tif 000009
【図９】
0003636115.tif 000010
【図１０】
0003636115.tif 000011
【図１１】
0003636115.tif 000012
【図１２】
0003636115.tif 000013
【図１３】
0003636115.tif 000014